(57)【要約】【課題】メインのカメラにシンクロさせたストロボを、そのストロボとシンクロさせていないサブカメラとも同調可能とした二股レリーズを提供する。【解決手段】第一の伝達系統１ａはその先端に電気式レリーズのターミナル接点３を有している一方、第二の伝達系統１ｂには遅延回路４と電源回路５とが介在され、その先にソレノイド６が接続されている。また、遅延回路４には遅延時間を調節可能な調節手段１３が接続されている。ここで、スイッチ２を押すことによって遅延回路４が働き、その調節手段１３によって設定された時間分だけ遅れたタイミングでソレノイド６が動作して、機械式レリーズ７のレリーズボタン７ａをプッシュし、先端からレリーズロッド７ｂを進出させる構造となっている。【選択図】図２
2005148652.tif 000002
【特許請求の範囲】
【請求項１】
電気式レリーズの先を、ダイレクトに信号を送り出す第一の伝達系統と、遅延回路を介在させることにより前記第一の系統に対して所定の時間だけ遅らせて信号を送り出す第二の伝達系統とに分岐させるとともに、前記遅らせる時間を所定の範囲内で調節可能な調節手段を設けたことを特徴とする二股レリーズ。
【請求項２】
第一の伝達系統と第二の伝達系統のうち少なくとも一方の伝達系統に、信号の入力によって動作するソレノイドを接続し、そのソレノイドに、機械式レリーズを前記ソレノイドに連動可能ならしめて取り付けた請求項１に記載の二股レリーズ。
【請求項３】
第二の伝達系統に接続されたソレノイドが、外部電源で動作される請求項２に記載の二股レリーズ。
【発明の詳細な説明】
【技術分野】
【０００１】
本発明は、二台のカメラを同時操作可能とした二股レリーズに関するものである。
【背景技術】
【０００２】
近年、デジタル式カメラの普及はめざましく、撮影した画像を即座に見たりプリントアウトできることは当たり前のように思われているが、デジタル式カメラが登場するまでは、特殊なフィルムを使用するインスタントカメラが、撮影後に数秒で画像を見ることができる唯一の手段であった。
もっとも、ビデオテレビカメラで撮影した映像をストップモーションで映し出すこともできるが、細かな表情を判別するのに充分な解像度が得られない。
【０００３】
そのためスタジオでは、撮影用のカメラとほぼ同時撮影したプレゼンテーション用のインスタントカメラで写り具合をチェックするのがポピュラーな手法とされていた。
しかしここにきて、デジタル式カメラの性能が飛躍的に向上したことにより、プレゼンテーション用としてデジタル式カメラを利用する動きが高まってきている。
その代表的な例としては特許文献１に記載の装置を挙げることができる。
特許文献１の技術では、デジタル式カメラを、フィルム式カメラの撮影に同調して作動するストロボの発光を受けて動作させるユニークな方式が用いられており、シャッターが切られるタイミングのズレはコンマセカンド以内でほぼ同時と評価できるが、ストロボは撮影の照明用ではなく、あくまでデジタル式カメラをフィルム式カメラに同調して動作させる道具として利用されているにすぎない。
【０００４】
【特許文献１】特開２００３−２４８２６３号公報
【発明の開示】
【発明が解決しようとする課題】
【０００５】
スタジオ内には、リフレクタランプ（フラットランプ、ハロゲンランプ）による照明が装備されてはいるが、ストロボを併用することも多い。
カメラにはシャッターの動作に連動してストロボを発光させるシンクロ機構が組み込まれているものの、ストロボ発光のタイミングは、カメラの機種によって異なることは勿論、たとえ同一機種でも実測データまで全く同じではないので、ストロボとシンクロさせたメインのカメラと同時にサブカメラのシャッターを切っても、そのサブカメラがストロボに同調する確率は偶然に頼るしかない。
又、２台のカメラのシャッターを同時に切る手段としては、機械式のダブルレリーズと称される特殊なレリーズを使用することが考えられるが、ダブルレリーズは、本来、カメラのシャッターを切る操作と、カメラと非連動のレンズをプリセット位置まで絞り込む操作とをほぼ同時に行う接写用のアクセサリであって、上記のような使用形態は考慮されていない。
【０００６】
このような状況下にて、ストロボを撮影の光源として利用すべく、メインのカメラとシンクロさせたストロボを、シンクロさせていないサブカメラと同調させるには、ダブルレリーズを二台のカメラのシャッターが同時に切れるよう改造すると共に、個々のカメラを、互いにシンクロタイミングが同一となるよう改造、調整するしかなかった。
更に、カメラには機種によって機械式レリーズのみが適用可能であったり、逆に電気式レリーズのみが適用可能であるなど、仕様がまちまちであるため、お気に入りのカメラが電気式のレリーズを使用できないタイプであると、ダブルレリーズは利用できない。
【０００７】
本発明は、カメラ自体には全く手を加えることなく、メインのカメラにシンクロさせたストロボを、そのストロボとシンクロさせていないサブカメラとも同調可能とし、二台のカメラで同時撮影を可能とした二股レリーズの提供にある。
【課題を解決するための手段】
【０００８】
請求項１の発明は、電気式レリーズの先を、ダイレクトに信号を送り出す第一の伝達系統と、遅延回路を介在させることにより前記第一の系統に対して所定の時間だけ遅らせて信号を送り出す第二の伝達系統とに分岐させるとともに、前記遅らせる時間を所定の範囲内で調節可能な調節手段を設けたことを特徴とする二股レリーズである。
【０００９】
そして請求項２の発明は、第一の伝達系統と第二の伝達系統のうち少なくとも一方の伝達系統に、信号の入力によって動作するソレノイドを接続し、そのソレノイドに、機械式レリーズを前記ソレノイドに連動可能ならしめて取り付けた請求項１に記載の二股レリーズであり、請求項３の発明は、第二の伝達系統に接続されたソレノイドが、外部電源で動作される請求項２に記載の二股レリーズである。
【発明の効果】
【００１０】
請求項１の発明によれば、サブカメラの試し撮り結果を見ながら最適な遅延時間を探り出し、その遅延時間にセットすれば、どのようなカメラの組み合わせであっても確実に同調させることができる。
又、請求項２の発明によれば、機械式レリーズにのみに適応するカメラの組み合わせにも好適利用でき、請求項３の発明によれば、カメラの電源消費を抑制できる。
【発明を実施するための最良の形態】
【００１１】
本発明に係る二股レリーズの実施の形態を図面に基づいて説明する。図１は本発明に係る二股レリーズの説明図であり、また図２は該二股レリーズの回路説明図である。
図１に示されているように、１は平行な二本の電線を内蔵した電気ケーブルであって、その基端部には電線の端部を短絡させるスイッチ２が設けられており、先端側は二股になっていて、第一の伝達系統１ａと第二の伝達系統１ｂとの２本ケーブルに分岐されている。
【００１２】
また、図２に示されているように、第一の伝達系統１ａはその先端に電気式レリーズのターミナル接点３を有し、一方、第二の伝達系統１ｂには遅延回路４と電源回路５とが介在され、その先にソレノイド６が接続されている。
遅延回路４と電源回路５は制御ボックスＡに組み込まれ、ソレノイド６はインターフェースボックスＢに収められており、第一の伝達系統１ａは一旦制御ボックスＡ内に導入されているが、素通りしてボックス外に引き出されている。尚、遅延回路４には遅延時間を所定の時間に設定するための調節手段１３が接続されている。調節手段１３はダイヤルにより遅延回路４内の抵抗値を変更可能としているもの（図１参照）であって、指等でダイヤルを回すだけで所定の範囲内（たとえば、０ｓ〜１／１０ｓ）で遅延時間を容易に設定可能となっている。
【００１３】
インターフェースボックスＢ内には、機械式レリーズであるケーブルレリーズ７のレリーズボタン７ａを前記ソレノイド６のロッド６ａで押圧操作可能な位置にセッティングし、電気式レリーズの電気信号を機械式レリーズの進退動作に変換するインターフェース機構が組み込まれていて（図３参照）、スイッチ２を押すことによって遅延回路４が働き、その遅延回路４で調節手段１３により設定された時間分だけ遅れたタイミングでソレノイド６が動作して、機械式レリーズ７のレリーズボタン７ａをプッシュし、先端からレリーズロッド７ｂを進出させる構造となっている。
【００１４】
次に、この二股レリーズを利用して同時撮影を行う実施形態の一例について、図４を参照しつつ説明する。
メインのカメラ８には、６×６クラスのフィルム式カメラ、サブカメラ９には５００万画素以上のデジタル式一眼レフカメラが推奨される。なお、ストロボ（図示しない）がメインのカメラ８と連動するように予め設定されている。
メインのカメラ８及びサブカメラ９は、堅牢なドーリー１０の支柱１１に対して十文字となるよう組み付けられたアーム１２に左右二台並べて固定し、二股レリーズの制御ボックスＡやインターフェースボックスＢは支柱１１に取り付ける。
本実施例では、サブカメラ９が機械式レリーズのみに対応する機種のため、二股レリーズは、第一の伝達系統１ａの先をメインのカメラ８に接続し、第二の伝達系統１ｂに接続されているケーブルレリーズ７の先をサブカメラ９に接続している。
そして、フィルムが装填されていないメインのカメラ８と、撮影可能にセットしたサブカメラ９のシャッターとを、スイッチを押すことによって同時に切って、試し撮りの写り具合をチェックしながら調節手段１３により遅延時間を順次変更しながら調節し、サブカメラ９とストロボとの同調を確認するまでその操作を繰り返して最良の遅延時間を検索する。
【００１５】
遅延回路４を検索された遅延時間に固定すればセッティング作業は完了する。あとはサブカメラ９にて撮影し、記録したデータをメモリから削除しておく必要はあるが、メインのカメラ８は空撮されただけでフィルムの消耗はない。
メインのカメラ８にフィルムを装填すれば、同時撮影のシステムが完成する。
【００１６】
前記実施例では、第二の伝達系統１ｂに電気式レリーズから機械式レリーズに変換するインターフェース機構を有するインターフェースボックスＢを設けているので、一方のカメラが機械式レリーズのみを利用可能とした機種である場合に好適利用できるが、第一の伝達系統１ａと第二の伝達系統１ｂとのいずれをも電気式のまま機械式に変換しないタイプ（つまり、ソレノイド６を有するインターフェースボックスＢを必要としないタイプ）、或いは機械式に変換するタイプ（つまり、第一の伝達系統１ａと第二の伝達系統１ｂとの両方にインターフェースボックスＢを設けるタイプ）にもできる。
又、ソレノイドの電源はカメラより供給されるようにできるが、電力消費が大きいので、本実施例のように、外部電源を利用して大量の撮影にも対応させるのが望ましい。
更に機械式レリーズは、ワイヤを利用したケーブルレリーズ以外に、エアーを利用するチューブレリーズを採用することができる
【００１７】
更に、サブカメラのシンクロタイミングがメインのカメラのシンクロタイミングより早い組み合わせの場合は、第一の伝達系統をサブカメラに接続し、第二の伝達系統をメインのカメラに接続すれば足りる。
【００１８】
尚、本発明の二股レリーズが対象とするカメラは、実施例に示したカメラでなくとも、フィルム式、デジタル式を問わず、乾板式やコンパクトカメラクラスも含まれる。
又使用形態は、制御ボックスやインターフェースボックスを支柱に取り付けないでフロアーに這わせたり、机などの上に設置することができる。更に、上記実施例においては、調節手段をダイヤルにより調節可能なものとしたが、スライド式のものであっても何ら問題はない。加えて、調節手段における遅延時間の調節可能な範囲は上記実施例に記載の０ｓ〜１／１０ｓでなく、より広い範囲で調節可能としてもよい。
【００１９】
本発明によれば、電気式レリーズの利点を生かし、第二の伝達系統に、遅延時間の調節が可能な調節手段有する遅延回路を介在させて、第一の伝系統に対して所定の時間だけ遅らせた信号を送り出すようにしたので、二台のカメラのシンクロタイミングを一致させることが可能となり、又、一方のカメラにデジタル式を採用すれば、撮影直後にプレゼンテーションに供し、写りの良い写真を選択するために利用できる。
【図面の簡単な説明】
【００２０】
【図１】本発明に係る二股レリーズの説明図である。
【図２】二股レリーズの回路説明図である。
【図３】インターフェース部の説明図である。
【図４】使用例を示した説明図である。
【符号の説明】
【００２１】
Ａ・・制御ボックス、Ｂ・・インターフェースボックス、１・・電気ケーブル、１ａ・・第一の伝達系統、１ｂ・・第二の伝達系統、２・・スイッチ、３・・ターミナル接点、４・・遅延回路、５・・電源回路、６・・ソレノイド、７・・ケーブルレリーズ、８・・メインのカメラ、９・・サブカメラ、１０・・ドーリー、１１・・支柱、１２・・アーム。
【図１】
2005148652.tif 000003
【図２】
2005148652.tif 000004
【図３】
2005148652.tif 000005
【図４】
2005148652.tif 000006